(57)【特許請求の範囲】
【請求項１】
管路方向を鉛直にして配設されて消火水が供給される鉛直配管と、
上記鉛直配管の上部開口部に管路方向周りに回動可能に連結された縦配管および該縦配管の上部に連結された散水ノズルを有する散水銃と、
上記消火水の一部を駆動源とし、往復移動力を発生する動力発生機構部と、
上記動力発生機構部により発生された上記往復移動力を上記縦配管の管路方向と直交する軸周りの回動力に変換する動力変換機構部と、
上記動力変換機構部により変換された回動力を上記縦配管の管路方向周りの回動力に変換して該縦配管に伝達し、上記散水銃を旋回させる動力伝達機構部と、を備え、
上記動力発生機構部は、
シリンダ室と、
上記シリンダ室内に軸方向に変位可能に配設されて、該シリンダ室内を軸方向に第１シリンダ室と第２シリンダ室とに画成する仕切り部材と、
上記仕切り部材に固着され、一端が上記第１シリンダ室内に位置され、かつ他端側が上記第２シリンダ室を挿通して上記シリンダ室から延出され、該仕切り部材の変位に連動して該シリンダ室の軸方向に往復移動可能に配設されたロッドと、
穴方向を軸方向とする細長の給水穴が外周面の一端側に穿設され、かつ排水穴が外周面の他端側に穿設され、他端を上記ロッドの一端に固着されて上記第１シリンダ室内に上記第２シリンダ室から離反する最上位置と該第２シリンダ室に接近する最下位置との間を往復移動可能に配設されたシリンダと、
上記シリンダの上記最上位置から上記最下位置への移動時に、上記最上位置の時点から上記給水穴との重なりが開始され、該最下位置で該給水穴との重なりが解除されるように上記第１シリンダ室に設けられ、該給水穴との重なり部を介して上記消火水を該シリンダ内に供給する給水口と、
上記シリンダが上記最上位置から上記最下位置への移動時に、上記最下位置の直前から上記記排水穴との重なりが開始され、該最下位置に到達したときに該排水穴との重なり面積が最大となるように上記第１シリンダ室に設けられ、該排水穴との重なり部を介して該シリンダ内の上記消火水を排出する排出口と、
上記第２シリンダ室内に配設されて、上記シリンダ内の消火水が排出された際に該シリンダを上記最下位置から上記最上位置に復帰させるように上記仕切り部材を付勢する付勢手段と、
を有していることを特徴とする旋回方式散水銃装置。
【請求項２】
上記動力変換機構部は、
上記縦配管の管路方向と直交するシャフトに固着されたピニオンと、
上記ロッドの上記シリンダ室からの延出部に配設され、該ロッドの往移動時に上記ピニオンと係合して、上記ピニオンを上記シャフト周りの一側に第１所定角度回動させる第１駆動部と、
上記ロッドの上記シリンダ室からの延出部に配設され、該ロッドの往移動時に上記ピニオンと係合して、上記ピニオンを上記シャフト周りの他側に上記第１所定角度回動させる第２駆動部と、
上記縦配管が管路方向周りの一側に第２所定角度回動したときに、上記ピニオンとの係合を上記第１駆動部から上記第２駆動部に切り換え、上記縦配管が管路方向周りの他側に上記第２所定角度回動したときに、上記ピニオンとの係合を上記第２駆動部から上記第１駆動部に切り換える切換手段と、
を備えたことを特徴とする請求項１記載の旋回方式散水銃装置。
【請求項３】
上記動力伝達機構部は、
上記縦配管に外嵌状態に取り付けられた第１かさ歯車と、
上記シャフトの端部に固着されて、上記第１かさ歯車に歯合する第２かさ歯車と、
から構成されていることを特徴とする請求項２記載の旋回方式散水銃装置。
【発明の詳細な説明】
【技術分野】
【０００１】
この発明は、散水ノズルを旋回させつつ消火水を散水する旋回方式散水銃装置に関するものである。
【背景技術】
【０００２】
従来の放水ユニットは、垂直配管と、垂直配管の開口先端に回動可能に接続されたＬ形配管と、Ｌ形配管の先端に接続された放水ノズルとを備えている。垂直配管は電動弁を介してスプリンクラー配管に連結されている。そして、ウォームがＬ形配管の垂直部の周りに同軸に固定され、ノズル旋回モータの軸に取り付けられたウォームホイールがウォームに歯合している。これにより、ノズル旋回モータが回転すると、Ｌ形配管およびその先端に接続された放水ノズルが水平回り（鉛直軸周り）に回動する。（例えば、特許文献１参照）。
【０００３】
【特許文献１】特開平８−３８６４５号公報
【発明の開示】
【発明が解決しようとする課題】
【０００４】
従来の放水ユニットでは、放水ノズルの旋回駆動用としてノズル旋回モータを用いているので、ノズル旋回モータに加え、その電気配線が必要となると共に、その駆動制御手段が必要となり、コスト増をもたらしてしまうという課題があった。
【０００５】
この発明は、上記の課題を解決するためになされたものであり、消火水を駆動源として旋回用モータを省略し、コストの低減を図る旋回方式散水銃装置を得ることを目的とする。
【課題を解決するための手段】
【０００６】
この発明による旋回方式散水銃装置は、管路方向を鉛直にして配設されて消火水が供給される鉛直配管と、上記鉛直配管の上部開口部に管路方向周りに回動可能に連結された縦配管および該縦配管の上部に連結された散水ノズルを有する散水銃と、上記消火水の一部を駆動源とし、往復移動力を発生する動力発生機構部と、上記動力発生機構部により発生された上記往復移動力を上記縦配管の管路方向と直交する軸周りの回動力に変換する動力変換機構部と、上記動力変換機構部により変換された回動力を上記縦配管の管路方向周りの回動力に変換して該縦配管に伝達し、上記散水銃を旋回させる動力伝達機構部と、を備えている。そして、上記動力発生機構部は、シリンダ室と、上記シリンダ室内に軸方向に変位可能に配設されて、該シリンダ室内を軸方向に第１シリンダ室と第２シリンダ室とに画成する仕切り部材と、上記仕切り部材に固着され、一端が上記第１シリンダ室内に位置され、かつ他端側が上記第２シリンダ室を挿通して上記シリンダ室から延出され、該仕切り部材の変位に連動して該シリンダ室の軸方向に往復移動可能に配設されたロッドと、穴方向を軸方向とする細長の給水穴が外周面の一端側に穿設され、かつ排水穴が外周面の他端側に穿設され、他端を上記ロッドの一端に固着されて上記第１シリンダ室内に上記第２シリンダ室から離反する最上位置と該第２シリンダ室に接近する最下位置との間を往復移動可能に配設されたシリンダと、を有する。さらに、上記動力発生機構部は、上記シリンダの上記最上位置から上記最下位置への移動時に、上記最上位置の時点から上記給水穴との重なりが開始され、該最下位置で該給水穴との重なりが解除されるように上記第１シリンダ室に設けられ、該給水穴との重なり部を介して上記消火水を該シリンダ内に供給する給水口と、上記シリンダが上記最上位置から上記最下位置への移動時に、上記最下位置の直前から上記記排水穴との重なりが開始され、該最下位置に到達したときに該排水穴との重なり面積が最大となるように上記第１シリンダ室に設けられ、該排水穴との重なり部を介して該シリンダ内の上記消火水を排出する排出口と、上記第２シリンダ室内に配設されて、上記シリンダ内の消火水が排出された際に該シリンダを上記最下位置から上記最上位置に復帰させるように上記仕切り部材を付勢する付勢手段と、を有している。
【発明の効果】
【０００７】
この発明によれば、動力発生機構部が、消火水の一部を駆動源として散水銃を旋回させるための動力を発生しているので、駆動モータなどの部品が不要となり、コストの低減が図られる。
【発明を実施するための最良の形態】
【０００８】
図１はこの発明の一実施の形態に係る旋回方式散水銃装置の全体構成を説明する図、図２はこの発明の一実施の形態に係る旋回方式散水銃装置の動力発生機構部の要部を説明する図、図３はこの発明の一実施の形態に係る旋回方式散水銃装置の動力変換機構部の構成を説明する図、図４はこの発明の一実施の形態に係る旋回方式散水銃装置の動力変換機構部における要部を説明する断面図、図５はこの発明の一実施の形態に係る旋回方式散水銃装置の動力発生機構部の動作を説明する図、図６はこの発明の一実施の形態に係る旋回方式散水銃装置の動力変換機構部の動作を説明する図である。
【０００９】
図１において、旋回方式散水銃装置は、本管（図示せず）に接続され、管路方向を鉛直とする鉛直配管１と、鉛直配管１に鉛直軸周りに回動可能に接続された散水銃２と、散水銃２を鉛直軸周りに回動させる旋回機構部６と、を備えている。
【００１０】
散水銃２は、縦配管３と、縦配管３の上部開口部に取り付けられた散水ノズル４と、を備えている。この散水銃２は、縦配管３の管路方向を鉛直配管１の管路方向に一致させて、縦配管３を鉛直配管１の上部開口部に管路方向周りに回動可能に接続されている。そして、縦配管３と鉛直配管１との間にはＯリング５ａ、５ｂが介装され、消火水が漏れ出ないようになっている。また、給水配管７の一端が鉛直配管１に連結され、他端が後述するシリンダ室１０の給水口１３に連結されている。そして、パイロット弁８が給水配管７の経路中に配設されている。
【００１１】
旋回機構部６は、消火水の一部を駆動源とし、往復移動力を発生する動力発生機構部１００と、動力発生機構部１００により発生された往復移動力を縦配管３の管路方向と直交する軸周りの回動力に変換する動力変換機構部２００と、動力変換機構部２００により変換された回動力を縦配管３の管路方向周りの回動力に変換して縦配管３に伝達し、散水銃２を旋回させる動力伝達機構部３００と、を備えている。
【００１２】
動力発生機構部１００は、シリンダ室１０と、シリンダ室１０内に軸方向に変位可能に配設され、シリンダ室１０内を軸方向に第１シリンダ室１０ａと第２シリンダ室１０ｂとに画成する仕切り部材としてのダイアフラム１１と、第１シリンダ室１０ａ内に軸方向に移動可能に配設されたシリンダ１２と、シリンダ１２内に消火水を供給する給水口１３と、シリンダ１２内の消火水を排水する排水口１４と、中央部をダイアフラム１１に固着され、一端を第１シリンダ室１０ａ内に位置させ、他端側を第２シリンダ室１０ｂを挿通させてシリンダ室１０から延出させるように取り付けられたロッド１５と、ダイアフラム１１を第１シリンダ室１０ａ側に付勢するように第２シリンダ室１０ｂ内に配設された付勢手段としてのスプリング１６と、を備えている。
【００１３】
ロッド１５は、ダイアフラム１１の軸方向の変位に連動してシリンダ室１０の軸方向に往復移動する。これにより、シリンダ室１０からのロッド１５の延出部が伸縮する。以降、ロッド１５がシリンダ室１０から延出する方向を往方向とする。
【００１４】
シリンダ１２は、図２に示されるように、上端が開放で、下端を塞口された円筒体に作製され、Ｏリング１７が軸方向の略中央部に外嵌状態に装着されている。また、軸方向に細長の給水穴１８がシリンダ１２の外周面の一端側に穿設され、円形の排水穴１９がシリンダ１２の外周面の他端側に周方向に等角ピッチで４つ穿設されている。そして、給水穴１８の断面積が排水穴１９の断面積より小さくなっている。
【００１５】
このシリンダ１２は他端側をダイアフラム１１側に位置させて第１シリンダ室１０ａ内に配設され、ロッド１５の一端に固着されている。そして、シリンダ１２は、ロッド１５の軸方向の移動に連動して、Ｏリング１７を第１シリンダ室１０ａの内壁面を摺動させて軸方向に移動する。
給水口１３は、シリンダ１２が最上位置から最下位置に移動する際、最上位置の時点から給水穴１８との重なりが開始され、最下位置では、給水穴１８との重なりが解除されるような位置関係で第１シリンダ室１０ａに穿設されている。また、排水口１４は、シリンダ１２が最上位置から最下位置に移動する際、最下位置の直前から排水穴１９との重なりが開始され、最下位置に到達したときに排水穴１９との重なり面積が最大となるような位置関係で第１シリンダ室１０ａに４つ穿設されている。
【００１６】
動力変換機構部２００は、図１、図３および図４に示されるように、シリンダ室１０の第２シリンダ室１０ｂの外側に延設された一対の支持腕２０と、軸心をロッド１５の軸心と直角に交差するように一対の支持腕２０に回転自在に支持されたシャフト２１と、シャフト２１のロッド１５と交差する位置に同軸に固着されたピニオン２２と、ロッド１５の延出端に取り付けられた躯体２３と、を備えている。そして、ガイド穴２４が穴方向をロッド１５およびシャフト２１の軸心と直交にして躯体２３に形成され、スライドブロック２５がガイド穴２４に案内されてロッド１５およびシャフト２１の軸心と直交にスライド移動可能に躯体２３内に収納されている。また、第１および第２切換レバー２６Ａ，２６Ｂがそれぞれスライドブロック２５の両端から躯体２３の外側に延出され、その後曲げられてロッド１５の往方向に延設されている。
【００１７】
第１および第２ガイド穴２７Ａ，２７Ｂが、ロッド１５およびシャフト２１の軸と直交する方向に離間して、穴方向をロッド１５およびシャフト２１の軸方向と直交にして、同軸にスライドブロック２５内に形成されている。さらに、第１および第２ブロック２８Ａ，２８Ｂがそれぞれ第１および第２ガイド穴２７Ａ，２７Ｂ内にロッド１５およびシャフト２１の軸と直交する方向に移動可能に収納されている。そして、第１および第２ラック２９Ａ，２９Ｂが、それぞれ第１および第２ブロック２８Ａ，２８Ｂから、躯体２３およびスライドブロック２５に形成された切り欠き３０，３１を挿通して、ロッド１５の往方向に延設されている。また、第１および第２バネ３２Ａ，３２Ｂが、第１および第２ブロック２８Ａ，２８Ｂを初期位置に復帰させるように、第１および第２ガイド穴２７Ａ，２７Ｂ内に縮設されている。なお、切り欠き３０，３１は、穴方向をロッド１５およびシャフト２１の軸方向に直交とする長穴に形成されている。
【００１８】
一対のラック切換ピン３３が、散水銃２の縦配管３に外嵌状態に、かつ縦配管３周りに回動自在に取り付けられた一対のリング体３４の外壁面から径方向外側に延設されている。そして、各リング体３４は、一対のラック切換ピン３３がシャフト２１の軸心を含む鉛直面を挟んで等しい角度（第２所定角度）を有するように回転位置を調整されて、ネジなどにより縦配管３に固定されている。なお、図３では、一方のラック切換ピン３３のみが示されている。
【００１９】
ここで、第１ブロック２８Ａ、第１ラック２９Ａおよび第１バネ３２Ａが第１駆動部を構成し、第２ブロック２８Ｂ、第２ラック２９Ｂおよび第２バネ３２Ｂが第２駆動部を構成している。また、躯体２３、スライドブロック２５、第１および第２切換レバー２６Ａ，２６Ｂ、ラック切換ピン３３およびリング体３４が切換手段を構成している。
【００２０】
そして、第１ブロック２８Ａは、第１バネ３２Ａの付勢力により、図４中第１ガイド穴２７Ａ内を右方向に移動し、第１ラック２９Ａが切り欠き３１の内壁面に当接する初期位置に位置する。同様に、第２ブロック２８Ｂは、第２バネ３２Ｂの付勢力により、図４中第２ガイド穴２７Ｂ内を左方向に移動し、第２ラック２９Ｂが切り欠き３１の内壁面に当接する初期位置に位置する。
第１切換レバー２６Ａが、図４中右方向に移動されると、スライドブロック２５はガイド穴２４に案内されて右方向に移動し、第１ラック２９Ａがピニオン２２と係合する第１の状態をとる。また、第２切換レバー２６Ｂが、図４中左方向に移動されると、スライドブロック２５はガイド穴２４に案内されて左方向に移動し、第２ラック２９Ｂがピニオン２２と係合する第２の状態をとる。
【００２１】
さらに、動力伝達機構部３００は、散水銃２の縦配管３に外嵌状態に固着された第１かさ歯車３５と、シャフト２１の一端に同軸に固着され、第１かさ歯車３５に歯合する第２かさ歯車３６と、を備えている。
【００２２】
つぎに、動力発生機構部１００の動作について、図５を参照しつつ説明する。
まず、消火水９がシリンダ１２内に供給されていない初期状態では、図５の（ａ）に示されるように、ダイアフラム１１がスプリング１６の付勢力により第１シリンダ室１０ａ側（復方向）に変位し、シリンダ１２は、最上位置に位置している。この時、給水口１３は細長の給水穴１８の往方向端部と重なっており、消火水９がシリンダ１２内に供給可能な状態となっている。また、排水口１４は排水穴１９の往方向に位置し、排水穴１９との重なりが回避されている。
【００２３】
ついで、パイロット弁８が開けられていると、消火水９が給水配管７を介して給水口１３と給水穴１８との僅かな重なり部からシリンダ１２内に供給される。そして、シリンダ１２内の消火水９の水量が増えると、図５の（ｂ）に示されるように、シリンダ１２はスプリング１６を収縮させつつ往方向に移動する。このシリンダ１２の移動により、給水口１３と給水穴１８との重なり面積が徐々に大きくなり、ついには給水口１３の全体が給水穴１８に重なり、両者の重なり面積が一定となる。ここで、細長の給水穴１８の長軸が給水口１３の口径より大きくなっているので、給水口１３の全体が給水穴１８に重なった以降は、給水口１３と給水穴１８との重なり面積は一定となる。そして、シリンダ１２の往方向への移動中、シリンダ１２内への消火水９の供給が続けられる。
【００２４】
ついで、シリンダ１２が往方向に移動し、最下位置の直前まで到達すると、排水穴１９の往方向端部が排水口１４に重なり始め、シリンダ１２内の消火水９の排水が開始される。この時、図５の（ｃ）に示されるように、給水口１３は給水穴１８の復方向端部に重なり始め、両者の重なり面積の減少が始まる。
【００２５】
そして、図５の（ｄ）に示されるように、シリンダ１２が最下位置に到達すると、排水口１４と排水穴１９との重なり面積が最大となる。この時、給水穴１８と給水口１３との重なりが解除され、排水口１４と排水穴１９との重なり面積が大きくなっているので、シリンダ１２内の消火水９は一気に排水される。そこで、シリンダ１２はスプリング１６の付勢力により最上位置まで一気に戻され、消火水９のシリンダ１２内への供給が開始される。そして、図５の（ｅ）に示されるように、シリンダ１２が往方向に移動しつつ、給水口１３と給水穴１８との重なり面積が徐々に大きくなり、シリンダ１２内の消火水９の水量が多くなる。
このように、動力発生機構部１００は、上述の動作を繰り返し、ロッド１５が最上位置と最下位置との間のシリンダ１２の移動距離に相当するストロークで往復移動することになる。
【００２６】
つぎに、動力変換機構部２００の動作について、図６を参照しつつ説明する。ここでは、第１ラック２９Ａによるピニオン２２の回動動作について説明する。
まず、第１切換レバー２６Ａが作動され、第１ラック２９Ａが、図６の（ａ）に示されるように、ピニオン２２と係合する第１の状態となる。この時、第１ブロック２８Ａが第１バネ３２Ａにより押圧され、第１ラック２９Ａが切り欠き３１の内壁面に当接している（初期位置）。
【００２７】
ついで、ロッド１５が往方向に移動されると、第１ラック２９Ａがピニオン２２の歯４０ａを押し、ピニオン２２が図６の（ｂ）中反時計回りに回動を開始する。このピニオン２２の回動にともなって、次の歯４０ｂが第１ラック２９Ａを図６の（ｂ）中左方向に押圧する。そこで、第１ラック２９Ａは、図６の（ｃ）に示されるように、第１バネ３２Ａを収縮させて、第１ガイド穴２７Ａに沿って左方向に移動しつつ、１ストローク分往方向に移動する。
その後、ロッド１５が復方向に移動すると、第１ラック２９Ａはピニオン２２から離反する。そして、第１ラック２９Ａの先端が歯４０ｂを超えると、第１ブロック２８Ａが第１バネ３２Ａの付勢力により押圧され、図６の（ｄ）に示されるように、初期位置に復帰する。
【００２８】
これにより、ピニオン２２は、ロッド１５の１往復によりシャフト２１周りに第１所定角度回動する。そして、次のロッド１５の１往復で、歯４０ｂが第１ラック２９Ａと係合し、同様に、第１所定角度回動する。このように、ロッド１５の往復移動が繰り返し行われると、ピニオン２２はロッド１５の１往復毎にシャフト２１周りの一側に第１所定角度ずつ回動することになる。
また、第２切換レバー２６Ｂが作動されて、第２ラック２９Ｂがピニオン２２と係合する第２の状態に切り換えられると、同様にして、ピニオン２２はロッド１５の１往復毎にシャフト２１周りの他側に第１所定角度ずつ回動することになる。
【００２９】
つぎに、このように構成された旋回方式散水銃装置の動作について説明する。
まず、旋回機構部６が、ロッド１５の軸心を縦配管３の管路方向に一致させ、シャフト２１の軸心を縦配管３の管路方向に直交させ、さらにシャフト２１の一端を縦配管３に向けて、配設される。そして、各リング体３４は、一対のラック切換ピン３３がシャフト２１の軸心を含む鉛直面を挟んで等しい角度（第２所定角度）を有するように回転位置を調整されて、ネジなどにより縦配管３に固定される。また、第１かさ歯車３５と第２かさ歯車３６とが歯合している。
【００３０】
そして、消火水がシリンダ１２内に供給されていない状態では、ダイアフラム１１はスプリング１６の付勢力により第１シリンダ室１０ａ側に押圧される。そこで、ロッド１５は図１中上方に押し上げられる。これにより、シリンダ１２は、給水口１３が給水穴１８の往方向端部に重なる最上位置をとる。
【００３１】
ついで、パイロット弁８が開けられていると、消火水が給水配管７を介して給水口１３と給水穴１８との重なり部からシリンダ１２内に供給される。そして、消火水がシリンダ１２内に溜まると、スプリング１６が収縮し、ダイアフラム１１が第２シリンダ室１０ｂ側に変位される。そこで、ロッド１５が図１中下方に押し下げられる。これにより、第１ラック２９Ａがピニオン２２と係合し、ピニオン２２をシャフト２１周りの一側に回動する。そして、シリンダ１２がロッド１５の移動に連動して最下位置まで移動すると、給水口１３と給水穴１８との重なりが解除され、排水口１４と排水穴１９との重なり面積が最大となる。そこで、シリンダ１２内の消火水は排水口１４と排水穴１９との重なり部から一気に排水される。同時に、ダイアフラム１１はスプリング１６の付勢力により第１シリンダ室１０ａ側に押圧され、ロッド１５が図１中上方に押し上げられる。
【００３２】
シリンダ１２がロッド１５の移動に連動して最上位置に復帰すると、消火水のシリンダ１２内への供給が始まる。これにより、シリンダ１２の最上位置から最下位置への移動が開始される。
この動作が繰り返し行われ、シャフト２１がロッド１５の１往復移動毎に、シャフト２１周りの一側に第１所定角度ずつ回動する。このシャフト２１の回動力が第２かさ歯車３６および第１かさ歯車３５を介して縦配管３の管路方向周りの回動力に変換されて縦配管３に伝達され、縦配管３が鉛直配管１の管路方向周りの一側に回動する。そして、縦配管３が初期位置（旋回中心）から一側に第２所定角度だけ回動すると、ラック切換ピン３３が第２切換レバー２６Ｂを押圧する。これにより、スライドブロック２５がガイド穴２４に案内されて移動し、第２ラック２９Ｂがピニオン２２と係合する第２の状態に切り換えられる。
【００３３】
この第２の状態では、シャフト２１がロッド１５の１往復移動毎に、シャフト２１周りの他側に第１所定角度ずつ回動する。このシャフト２１の回動力が第２かさ歯車３６および第１かさ歯車３５を介して縦配管３の管路方向周りの回動力に変換されて縦配管３に伝達され、縦配管３が鉛直配管１の管路方向周りの他側に回動する。そして、縦配管３が初期位置（旋回中心）から他側に第２所定角度だけ回動すると、ラック切換ピン３３が第１切換レバー２６Ａを押圧する。そして、第１ラック２９Ａがピニオン２２と係合する第１の状態に切り換えられる。
【００３４】
このように、上述の動作を繰り返し、縦配管３は所定の角度範囲で鉛直配管１の管路方向周りに回動、即ち旋回する。これにより、消火水が散水ノズル４から所定の角度範囲内に散水される。なお、リング体３０の回転位置を調整することで、散水銃２の旋回角度が調整される。また、パイロット弁８の開度を調整することで、ロッド１５の往復移動速度が調整される。
【００３５】
このように、この旋回方式散水銃装置では、旋回機構部６の駆動源として消火水の一部を用いているので、旋回モータ等の機器が不要となり、コストを低減することができる。
また、給水口１３、排水口１４、給水穴１８および排水穴１９の形状および位置を工夫し、シリンダ１２を最上位置と最下位置との間を往復移動するように構成しているので、簡易な構成でロッド１５を往復移動させる機構を実現できる。
また、第１ラック２９Ａが第１バネ３２Ａにより弾性支持されている。そこで、第１ラック２９Ａでピニオン２２の歯４０ａを押圧する際に、次の歯４０ｂから押圧を受けると、第１バネ３２Ａが収縮して、第１ラック２９Ａが歯４０ｂとの干渉を避ける方向に移動する。これにより、次の歯４０ｂとの干渉を避けつつ、当該歯４０ａを押圧し、確実に第１所定角度だけピニオン２２を回動させることができる。
【００３６】
また、第１かさ歯車３５を縦配管３に外嵌状態に取り付け、第１かさ歯車３５と歯合する第２かさ歯車３６をシャフト２１の端部に取り付けているので、シャフト２１周りの回動力を縦配管３の管路方向周りの回動力に変換する機構を簡易な構成で実現できる。
また、リング体３４が縦配管３に対して回転角度を調整可能に取り付けられているので、散水銃２の旋回角度を簡易に調整できる。
また、パイロット弁８が給水配管７の経路途中に配設されているので、パイロット弁８の開度を調整することで、散水銃２の旋回速度を簡易に調整できる。
【００３７】
なお、上記実施の形態では、仕切り部材としてダイアフラム１１を用いるものとして説明しているが、仕切り部材はこれに限定されるものではなく、第１シリンダ室１０ａと第２シリンダ室１０ｂとの差圧により変位するものであればよい。
【図面の簡単な説明】
【００３８】
【図１】この発明の一実施の形態に係る旋回方式散水銃装置の全体構成を説明する図である。
【図２】この発明の一実施の形態に係る旋回方式散水銃装置の動力発生機構部の要部を説明する図である。
【図３】この発明の一実施の形態に係る旋回方式散水銃装置の動力変換機構部の構成を説明する図である。
【図４】この発明の一実施の形態に係る旋回方式散水銃装置の動力変換機構部における要部を説明する断面図である。
【図５】この発明の一実施の形態に係る旋回方式散水銃装置の動力発生機構部の動作を説明する図である。
【図６】この発明の一実施の形態に係る旋回方式散水銃装置の動力変換機構部の動作を説明する図である。
【符号の説明】
【００３９】
１  鉛直配管、２  散水銃、３  縦配管、４  散水ノズル、１０  シリンダ室、１０ａ  第１シリンダ室、１０ｂ  第２シリンダ室、１１  ダイアフラム（仕切り部材）、１２  シリンダ、１３  給水口、１４  排水口、１５  ロッド、１６  スプリング（付勢手段）、１８  給水穴、１９  排水穴、２８Ａ  第１ブロック（第１駆動部）、２３  躯体（切換手段）、２５  スライドブロック（切換手段）、２６Ａ  第１切換レバー（切換手段）、２６Ｂ  第２切換レバー（切換手段）、２８Ｂ  第２ブロック（第２駆動部）、２９Ａ  第１ラック（第１駆動部）、２９Ｂ  第２ラック（第２駆動部）、３２Ａ  第１バネ（第１駆動部）、３２Ｂ  第２バネ（第２駆動部）、３３  ラック切換ピン（切換手段）、３４  リング体（切換手段）、３５  第１かさ歯車、３６  第２かさ歯車、１００  動力発生機構部、２００  動力変換機構部、３００  動力伝達機構部。
【図１】
0004664864.tif 000002
【図２】
0004664864.tif 000003
【図３】
0004664864.tif 000004
【図４】
0004664864.tif 000005
【図５】
0004664864.tif 000006
【図６】
0004664864.tif 000007